(57)【要約】【課題】操作の目的を持った操作面への接触と、操作の目的を持たない操作面への接触とを、より正確に判別する。【解決手段】タッチイベントが発生したとき、(i)動作感知デバイス（４０）が携帯端末装置（１）の動作を感知しており、(ii)タッチセンサデバイス（２０）が、所定の面積よりも広い領域で接触を検知しており、かつ、(iii)タッチパネルデバイス（３０）の端部で接触を検知している場合、タッチイベントに基づく携帯端末装置（１）の動作を行わない。【選択図】図１
2018160141.tif 000002
【特許請求の範囲】
【請求項１】
携帯端末装置であって、
操作面と、
上記操作面とは別の面に配置されたタッチセンサ部と、
当該携帯端末装置の移動を感知する移動感知部と、
上記操作面への接触に基づく当該携帯端末装置の動作を制御する制御部と、を備え、
上記操作面に物体が接触したとき、
(i)上記移動感知部が、当該携帯端末装置の移動を感知しており、
(ii)上記タッチセンサ部が接触を検知しており、かつ、
(iii)上記操作面における所定の端部領域内に、上記物体の少なくとも一部が接触している場合、
上記制御部は、上記操作面への接触に基づく当該携帯端末装置の動作を行わせない
ことを特徴とする携帯端末装置。
【請求項２】
上記操作面に物体が接触したとき、
(i)上記移動感知部が、当該携帯端末装置の移動を感知しており、
(ii)上記タッチセンサ部が配置された複数の面内において、上記タッチセンサ部が接触を検知しており、かつ、
(iii)上記操作面における所定の端部領域内に、上記物体の少なくとも一部が接触している場合、
上記制御部は、上記操作面に物体が接触したことに基づく当該携帯端末装置の動作を行わせないことを特徴とする請求項１に記載の携帯端末装置。
【請求項３】
上記操作面に物体が接触したとき、
(i)上記移動感知部が、当該携帯端末装置の移動を感知しており、
(ii)上記タッチセンサ部が配置された少なくとも一つの面内において、上記タッチセンサ部が、所定の面積よりも広い領域で接触を検知しており、かつ、
(iii)上記操作面における所定の端部領域内に、上記物体の少なくとも一部が接触している場合、
上記制御部は、上記操作面に物体が接触したことに基づく当該携帯端末装置の動作を行わせないことを特徴とする請求項１に記載の携帯端末装置。
【請求項４】
操作面への接触に基づく携帯端末装置の動作を制御する、携帯端末装置の制御方法であって、
上記操作面に物体が接触したとき、以下の(i)から(iii)の条件、すなわち、
(i)当該携帯端末装置が移動していること、
(ii)上記操作面とは別の面への接触があること、
(iii)上記操作面の端部に設定された所定の領域内に、上記物体の少なくとも一部が接触していること、
がすべて満たされる場合、
上記操作面への接触に基づく当該携帯端末装置の動作を行わせない
ことを特徴とする携帯端末装置の制御方法。
【請求項５】
請求項１〜３のいずれか１項に記載の携帯端末装置としてコンピュータを機能させるための制御プログラムであって、上記制御部としてコンピュータを機能させるための制御プログラム。
【発明の詳細な説明】
【技術分野】
【０００１】
本発明は、携帯端末装置、携帯端末装置の制御方法、および制御プログラムに関し、例えば、操作面へのタッチ操作に基づく動作をする携帯端末装置に関する。
【背景技術】
【０００２】
従来、スマートフォンやタブレットなど、タッチ操作を受ける操作面（例えばタッチパネル）を備えた携帯端末装置が数多く開発されている。ユーザが、携帯端末装置を、手に持って、またはカバン等に収納して、持ち運んでいるとき、物体またはユーザの手などが、携帯端末装置の操作面に触れる場合がある。これにより、ユーザの意図的な操作によらずに、携帯端末装置の機能部品（例えば、カメラ、ライト）が動作したり、携帯端末装置のアプリケーションが実行されたりする場合がある。その結果、携帯端末装置において、電力を無駄に消費する等の問題が発生する。
【０００３】
通常、ユーザが、操作の目的を持って、操作面に接触している場合よりも、ユーザが、携帯端末装置を手に持って運んでいる場合のほうが、ユーザの手が操作面に接触する領域は広くなる。この点に着目して、特許文献１に記載の携帯端末装置は、外装部品に設けられたタッチセンサが、予め設定された所定の面積（面積の閾値）よりも広い領域で、一定時間、接触を検知した場合、ユーザが携帯端末装置を操作していないと判断して、動作中の機能部品および実行中のアプリケーションを停止させる。
【先行技術文献】
【特許文献】
【０００４】
【特許文献１】特開２０１５−２１５７７７号公報（２０１５年１２月３日公開）
【発明の概要】
【発明が解決しようとする課題】
【０００５】
しかしながら、特許文献１に記載の携帯端末装置は、少なくとも一定時間が経過するまで、ユーザには操作の意図があるか否かを判定することができない。
【０００６】
また、ユーザは、片手で携帯端末装置を掴み、もう片方の手で携帯端末装置を操作する場合がある。そのような場合、携帯端末装置を掴んでいる片方のユーザの手が、携帯端末装置のタッチセンサの広い領域と接触する。この場合、特許文献１に記載の携帯端末装置は、ユーザが携帯端末装置を操作していないと誤って判定して、動作中の機能部品および実行中のアプリケーションを停止させる可能性がある。
【０００７】
本発明の一態様は、上記問題に鑑みてなされたものであり、操作の目的を持った操作面への接触と、操作の目的を持たない操作面への接触とを、より正確に判別することを目的とする。
【課題を解決するための手段】
【０００８】
上記の課題を解決するために、本発明の一態様に係る携帯端末装置は、携帯端末装置であって、操作面と、上記操作面とは別の面に配置されたタッチセンサ部と、当該携帯端末装置の移動を感知する移動感知部と、上記操作面への接触に基づく当該携帯端末装置の動作を制御する制御部と、を備え、上記操作面に物体が接触したとき、(i)上記移動感知部が、当該携帯端末装置の移動を感知しており、(ii)上記タッチセンサ部が接触を検知しており、かつ、(iii)上記操作面における所定の端部領域内に、上記物体の少なくとも一部が接触している場合、上記制御部は、上記操作面への接触に基づく当該携帯端末装置の動作を行わせない。
【０００９】
上記の課題を解決するために、本発明の一態様に係る携帯端末装置の制御方法は、操作面への接触に基づく携帯端末装置の動作を制御する、携帯端末装置の制御方法であって、上記操作面に物体が接触したとき、以下の(i)から(iii)の条件、すなわち、(i)当該携帯端末装置が移動していること、(ii)上記操作面とは別の面への接触があること、(iii)上記操作面の端部に設定された所定の領域内に、上記物体の少なくとも一部が接触していること、がすべて満たされる場合、上記操作面への接触に基づく当該携帯端末装置の動作を行わせない。
【発明の効果】
【００１０】
本発明の一態様によれば、操作の目的を持った操作面への接触と、操作の目的を持たない操作面への接触とを、より正確に判別することができる。
【図面の簡単な説明】
【００１１】
【図１】実施形態１および２に係る携帯端末装置の要部構成を示すブロック図である。
【図２】実施形態１および２に係る携帯端末装置が備えたセンシングデバイスの位置を示す図である。
【図３】（ａ）〜（ｄ）は、それぞれ、実施形態１に係る携帯端末装置が、操作の目的を持ったタッチパネルデバイスへの接触と操作の目的を持たないタッチパネルデバイスへの接触とを判定するための条件を示し、（ａ）および（ｂ）は、タッチパネルへの接触面積に基づく条件を示し、（ｃ）および（ｄ）は、タッチパネルの端部への接触の有無に基づく他の条件を示す。
【図４】実施形態１に係る携帯端末装置の動作を示すフローチャートである。
【図５】（ａ）および（ｂ）は、実施形態２に係る携帯端末装置が、操作の目的を持ったタッチパネルデバイスへの接触と操作の目的を持たないタッチパネルデバイスへの接触とを判別するための条件を示す。
【図６】実施形態２に係る携帯端末装置の動作を示すフローチャートである。
【発明を実施するための形態】
【００１２】
〔実施形態１〕
以下、本発明の実施の形態について、図１〜図４を用いて、詳細に説明する。
【００１３】
（携帯端末装置１の構成）
図１および図２を用いて、実施形態１に係る携帯端末装置１の構成を説明する。図１は、実施形態１に係る携帯端末装置１の要部構成を示すブロック図である。図２は、実施形態１に係る携帯端末装置１が備えたセンシングデバイスの位置を示す図である。
【００１４】
図１に示すように、携帯端末装置１は、制御部１０、端末側面タッチセンサデバイス２０（タッチセンサ部）、タッチパネルデバイス３０（操作面）、および動作感知デバイス４０（移動感知部）を備えている。以下では、端末側面タッチセンサデバイス２０を、タッチセンサデバイス２０と記載する。図２では、タッチセンサデバイス２０を携帯端末装置１の側面から分離して図示しているが、実際の携帯端末装置１では、タッチセンサデバイス２０は、携帯端末装置１の側面に接している。
【００１５】
タッチセンサデバイス２０は、接触物（物体またはユーザの手）によるタッチセンサデバイス２０への接触を感知可能な静電センサを備えている。図２に示すように、タッチセンサデバイス２０は、携帯端末装置１の表面と隣接する、４つの側面を覆っている。タッチセンサデバイス２０は、接触物によるタッチセンサデバイス２０への接触を検知した場合、接触物の位置情報を含む接触検知信号を、制御部１０の端末側面接触制御部１１へ送信する。
【００１６】
タッチパネルデバイス３０は、接触物によるタッチパネルデバイス３０への接触を検知する。図２に示すように、タッチパネルデバイス３０は、携帯端末装置１の表面、つまり画面を含む面を覆っている。図２において、符号３０Ａは、タッチパネルデバイス３０の端部領域を示す。タッチパネルデバイス３０の端部領域３０Ａは、例えば、携帯端末装置１の表面全体のうち、画面外の領域（すなわち額縁上の領域）を覆う部分に設定されてもよい。また、端部領域３０Ａは、表面の周縁部の全体を含んでいてもよいし、周縁部の一部のみを含んでいてもよい。タッチパネルデバイス３０は、接触物によるタッチパネルデバイス３０への接触を検知した場合、接触物の位置情報を含む接触検知信号を、制御部１０のタッチパネル接触制御部１４へ送信する。
【００１７】
動作感知デバイス４０は、携帯端末装置１を持ち運ぶユーザが歩行あるいは動作していることを感知する。例えば、動作感知デバイス４０は、携帯端末装置１に発生する加速度を検知する加速度センサを備えており、上記加速度センサが検知する加速度に基づいて、ユーザが歩行あるいは動作していることを感知してもよい。動作感知デバイス４０は、具体的には、携帯端末装置１を持ち運ぶユーザのステップ数（歩数）をカウントする歩行カウンタである。
【００１８】
制御部１０は、タッチセンサデバイス２０およびタッチパネルデバイス３０から、それぞれ、接触物の位置情報を含む接触検知信号を受信する。制御部１０は、接触物によるタッチセンサデバイス２０およびタッチパネルデバイス３０への接触を、タッチイベントとして検出する。接触物によるタッチパネルデバイス３０への接触に基づくタッチイベントを検出した場合、制御部１０は、(i)ユーザが、タッチ操作する目的を持って、タッチパネルデバイス３０に接触したのか、それとも、(ii)物体またはユーザの手等の接触物が、タッチパネルデバイス３０に偶然、接触したのかを、以下の３つの条件に基づいて判定する。
【００１９】
（ユーザが意図する接触を判別するための３つの条件）
＜第１の条件＞：動作感知デバイス４０がユーザの歩行を検知していること。
【００２０】
制御部１０は、動作感知デバイス４０から、携帯端末装置１の動作状態を示す情報を取得して、取得した情報に基づいて、第１の条件が満たされているか否かを判定する。携帯端末装置１の動作状態を示す情報とは、例えば、上記加速度センサが検知した、携帯端末装置１に発生する加速度である。
【００２１】
＜第２の条件＞：少なくとも１つのタッチセンサデバイス２０が、そのタッチセンサデバイス２０の全体の５０％以上で接触を検知していること。
【００２２】
制御部１０は、携帯端末装置１の４つの側面にそれぞれ配置されている４つのタッチセンサデバイス２０から、各タッチセンサデバイス２０への接触物の位置情報を含む接触検知信号を取得して、取得した接触検知信号に基づいて、第２の条件が満たされているか否かを判定する。
【００２３】
図３の（ａ）は、第２の条件が満たされない場合、つまり、いずれのタッチセンサデバイス２０にも、タッチセンサデバイス２０の全体の５０％以上の領域に接触がない場合の例を示す。一方、図３の（ｂ）は、第２の条件が満たされる場合、つまり、少なくとも１つのタッチセンサデバイス２０に対し、そのタッチセンサデバイス２０の全体の５０％以上の領域に接触がある場合の例を示す。
【００２４】
なお、一変形例では、携帯端末装置１は、背面にもタッチセンサデバイス２０を備えていてもよい。その場合、上記第２の条件は、「携帯端末装置１の側面および背面に設けられた複数のタッチセンサデバイス２０のうち、少なくとも１つのタッチセンサデバイス２０が、そのタッチセンサデバイス２０の全体の５０％以上で接触を検知していること」に変更されてもよい。
【００２５】
＜第３の条件＞：タッチパネルデバイス３０が、そのタッチパネルデバイス３０の端部領域３０Ａにおいて接触を検知していること。
【００２６】
制御部１０は、タッチパネルデバイス３０から、タッチパネルデバイス３０への接触物の位置情報を含む接触検知信号を取得して、取得した接触検知信号に基づいて、第３の条件が満たされているか否かを判定する。
【００２７】
図３の（ｃ）は、第３の条件が満たされる場合、つまり、タッチパネルデバイス３０の端部領域３０Ａへの接触がある場合を示す。一方、図３の（ｄ）は、第３の条件が満たされない場合、つまり、タッチパネルデバイス３０の端部領域３０Ａへの接触がない場合を示す。
【００２８】
制御部１０は、上記の３つの条件が満たされる場合、接触物が、タッチパネルデバイス３０に偶然、接触したと判定して、検出したタッチイベントを破棄する。一方、上記の条件のうち、少なくとも１つが満たされない場合、制御部１０は、ユーザが、タッチ操作する目的を持って、タッチパネルデバイス３０に接触したと判定して、検出したタッチイベントの情報を、携帯端末装置１にインストールされたアプリケーション等に通知する。
【００２９】
図１に示すように、制御部１０は、端末側面接触制御部１１、端末動作制御部１２、状態判定部１３、タッチパネル接触制御部１４、およびタッチパネルイベント制御部１５を含む。制御部１０の各部が実行する処理については、携帯端末装置１の動作の説明（図４参照）とともに、後で説明する。
【００３０】
（携帯端末装置１の動作）
図４は、実施形態１に係る携帯端末装置１の動作を示すフローチャートである。
【００３１】
図４に示すように、最初に、タッチパネルデバイス３０が、接触物による接触を検知した場合（タッチイベントの発生）、タッチパネル接触制御部１４は、タッチパネルデバイス３０から、接触物の位置情報を含む接触検知信号を受信する（Ｓ１）。タッチパネル接触制御部１４は、タッチイベントが発生したことを、状態判定部１３に通知する。
【００３２】
タッチパネル接触制御部１４から、タッチイベントが発生したことを通知された場合、状態判定部１３は、端末動作制御部１２が動作感知デバイス４０から取得する情報、すなわち携帯端末装置１の動作状態を示す情報を、端末動作制御部１２に要求する（Ｓ２）。端末動作制御部１２は、状態判定部１３の指示にしたがって、動作感知デバイス４０から取得した情報を状態判定部１３に送信する。
【００３３】
状態判定部１３は、端末動作制御部１２から受信した情報、すなわち携帯端末装置１の動作状態を示す情報に基づいて、現在、ユーザが歩行中であるかどうかを判定する（Ｓ３）。ユーザが歩行中でない場合（Ｓ３でＮｏ）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ３における判定結果をタッチパネルイベント制御部１５に通知する。この場合（Ｓ３でＮｏ）、タッチパネルイベント制御部１５は、Ｓ１において発生したタッチイベントの情報を、アプリケーションに通知する（Ｓ９）。
【００３４】
一方、ユーザが歩行中である場合（Ｓ３でＹｅｓ）、状態判定部１３は、端末側面接触制御部１１が４つのタッチセンサデバイス２０から取得する情報、すなわち４つのタッチセンサデバイス２０への接触物の位置情報を含む接触検知信号を、端末側面接触制御部１１に要求する（Ｓ４）。端末側面接触制御部１１は、状態判定部１３の指示にしたがって、４つのタッチセンサデバイス２０への接触物の位置情報を含む接触検知信号を、状態判定部１３に送信する。
【００３５】
状態判定部１３は、端末側面接触制御部１１から取得した接触検知信号に基づいて、接触物による接触を検知しているタッチセンサデバイス２０の領域が、タッチセンサデバイス２０の全体に占める割合を計算する。状態判定部１３は、少なくとも１つのタッチセンサデバイス２０が、そのタッチセンサデバイス２０の全体の５０％（所定の面積）以上の領域で接触を検知しているかどうかを判定する（Ｓ５）。換言すれば、状態判定部１３は、接触面積がタッチセンサデバイス２０全体の面積の５０％以上であるか否かを判定する。
【００３６】
いずれのタッチセンサデバイス２０も、そのタッチセンサデバイス２０の全体の５０％以上の領域では接触を検知していない場合（Ｓ５でＮｏ）（図３の（ａ）参照）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ５における判定結果をタッチパネルイベント制御部１５に通知する。この場合（Ｓ５でＮｏ）、タッチパネルイベント制御部１５は、Ｓ１において発生したタッチイベントの情報をアプリケーションに通知する（Ｓ９）。
【００３７】
一方、少なくとも１つのタッチセンサデバイス２０が、そのタッチセンサデバイス２０の全体の５０％以上の領域で接触を検知している場合（Ｓ５でＹｅｓ）（図３の（ｂ）参照）、タッチパネル接触制御部１４は、タッチパネルデバイス３０から、接触物による接触を検知しているタッチセンサデバイス２０の領域の情報を取得する（Ｓ６）。
【００３８】
状態判定部１３は、タッチパネル接触制御部１４がタッチパネルデバイス３０から取得する情報、すなわちタッチパネルデバイス３０への接触物の位置情報を含む接触検知信号を、タッチパネル接触制御部１４に要求する（Ｓ７）。タッチパネル接触制御部１４は、状態判定部１３の指示にしたがって、タッチパネルデバイス３０への接触物の位置情報を含む接触検知信号を、状態判定部１３に送信する。
【００３９】
状態判定部１３は、タッチパネル接触制御部１４から取得した接触検知信号に基づいて、タッチパネルデバイス３０の端部領域３０Ａの少なくとも一部が接触を検知しているかどうかを判定する（Ｓ７）。タッチパネルデバイス３０の端部領域３０Ａが接触を検知していない場合（Ｓ７でＮｏ）（図３の（ｄ）参照）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ７における判定結果をタッチパネルイベント制御部１５に通知する。この場合（Ｓ７でＮｏ）、タッチパネルイベント制御部１５は、Ｓ１において発生したタッチイベントの情報をアプリケーションに通知する（Ｓ９）。
【００４０】
一方、タッチパネルデバイス３０の端部領域３０Ａの少なくとも一部が接触を検知している場合（Ｓ７でＹｅｓ）（図３の（ｃ）参照）、状態判定部１３は、Ｓ１において検知されたタッチパネルデバイス３０への接触は、ユーザによる操作の目的を持った接触ではないと判定する。つまり、状態判定部１３は、ユーザが意図せずに、タッチパネルデバイス３０に接触していると判定する。状態判定部１３は、Ｓ７における判定結果をタッチパネルイベント制御部１５に通知する。この場合（Ｓ７でＹｅｓ）、タッチパネルイベント制御部１５は、Ｓ１において発生したタッチイベントの情報を破棄する、つまり、タッチイベントの情報をアプリケーションに通知しない（Ｓ８）。以上で、携帯端末装置１の動作は終了する。
【００４１】
タッチセンサデバイス２０が、携帯端末装置１の側面において、所定の面積よりも広い領域で接触を検知している場合、タッチパネルデバイス３０によって検知された接触は、操作の目的を持たない可能性が高い。実施形態１の構成によれば、このような場合に、タッチパネルデバイス３０への接触が、ユーザの意図しない操作であると判別することができる。
【００４２】
〔実施形態２〕
本発明の他の実施形態について、図５および図６に基づいて説明すれば、以下のとおりである。なお、説明の便宜上、前記実施形態にて説明した部材と同じ機能を有する部材については、同じ符号を付記し、その説明を省略する。
【００４３】
実施形態２では、タッチパネルデバイス３０が接触を検知した場合、制御部１０は、(i)ユーザが、タッチ操作する目的を持って、タッチパネルデバイス３０に接触したのか、それとも、(ii)物またはユーザの手等の接触物が、タッチパネルデバイス３０に偶然、接触したのかを、以下の３つの条件に基づいて判定する。なお、本実施形態の３つの条件のうち、第１の条件および第３の条件は、前記実施形態１の条件と共通している。
【００４４】
（ユーザが意図する接触を判別するための３つの条件）
＜第１の条件＞：動作感知デバイス４０がユーザの動作を検知していること。
【００４５】
制御部１０は、動作感知デバイス４０から、携帯端末装置１の動作状態を示す情報を取得して、取得した情報に基づいて、第１の条件が満たされているか否かを判定する。
【００４６】
＜第２の条件＞：少なくとも１つのタッチセンサデバイス２０が、そのタッチセンサデバイス２０の複数か所で接触を検知していること。
【００４７】
制御部１０は、４つのタッチセンサデバイス２０から、タッチセンサデバイス２０への接触物の位置情報を含む接触検知信号を取得して、取得した接触検知信号に基づいて、第２の条件が満たされているか否かを判定する。
【００４８】
図５の（ａ）は、第２の条件が満たされない場合、つまり、いずれのタッチセンサデバイス２０にも、タッチセンサデバイス２０の複数か所に接触がない場合を示す。図５の（ｂ）は、第２の条件が満たされる場合、つまり、少なくとも１つのタッチセンサデバイス２０に対し、そのタッチセンサデバイス２０の複数か所に接触がある場合を示す。
【００４９】
＜第３の条件＞：タッチパネルデバイス３０が、そのタッチパネルデバイス３０の端部領域３０Ａにおいて接触を検知していること。
【００５０】
制御部１０は、タッチパネルデバイス３０から、タッチパネルデバイス３０への接触物の位置情報を含む接触検知信号を取得して、取得した接触検知信号に基づいて、第３の条件が満たされているか否かを判定する。
【００５１】
（携帯端末装置１の動作）
図６は、実施形態２に係る携帯端末装置１の動作を示すフローチャートである。
【００５２】
図６に示すように、最初に、タッチパネルデバイス３０が、接触物による接触を検知した場合（タッチイベントの発生）、タッチパネル接触制御部１４は、タッチパネルデバイス３０から、接触物の位置情報を含む接触検知信号を受信する（Ｓ１）。タッチパネル接触制御部１４は、タッチイベントが発生したことを、状態判定部１３に通知する。
【００５３】
タッチパネル接触制御部１４から、タッチイベントが発生したことを通知された場合、状態判定部１３は、端末動作制御部１２が動作感知デバイス４０から取得する情報、すなわち携帯端末装置１の動作状態を示す情報を、端末動作制御部１２に要求する（Ｓ２）。端末動作制御部１２は、状態判定部１３の指示にしたがって、動作感知デバイス４０から取得した情報を状態判定部１３に送信する。
【００５４】
状態判定部１３は、端末動作制御部１２から受信した情報、すなわち携帯端末装置１の動作状態を示す情報に基づいて、現在、ユーザが歩行中であるかどうかを判定する（Ｓ３）。ユーザが歩行中でない場合（Ｓ３でＮｏ）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ３における判定結果をタッチパネルイベント制御部１５に通知する。この場合（Ｓ３でＮｏ）、タッチパネルイベント制御部１５は、Ｓ１において発生したタッチイベントの情報をアプリケーションに通知する（Ｓ９）。
【００５５】
一方、ユーザが動作中である場合（Ｓ３でＹｅｓ）、状態判定部１３は、端末側面接触制御部１１が４つのタッチセンサデバイス２０から取得する情報、すなわち４つのタッチセンサデバイス２０への接触物の位置情報を含む接触検知信号を、端末側面接触制御部１１に要求する（Ｓ４）。端末側面接触制御部１１は、状態判定部１３の指示にしたがって、４つのタッチセンサデバイス２０への接触物の位置情報を含む接触検知信号を、状態判定部１３に送信する。
【００５６】
状態判定部１３は、端末側面接触制御部１１から取得した接触検知信号に基づいて、少なくとも１つのタッチセンサデバイス２０が、そのタッチセンサデバイス２０の複数か所で接触を検知しているかどうかを判定する（Ｓ５Ａ）。
【００５７】
いずれのタッチセンサデバイス２０も、そのタッチセンサデバイス２０の複数か所で接触を検知していない場合（Ｓ５ＡでＮｏ）（図５の（ａ）参照）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ５Ａにおける判定結果をタッチパネルイベント制御部１５に通知する。この場合（Ｓ５ＡでＮｏ）、タッチパネルイベント制御部１５は、Ｓ１において発生したタッチイベントの情報をアプリケーションに通知する（Ｓ９）。
【００５８】
一方、少なくとも１つのタッチセンサデバイス２０が、そのタッチセンサデバイス２０の複数か所で接触を検知している場合（Ｓ５ＡでＹｅｓ）（図５の（ｂ）参照）、タッチパネル接触制御部１４は、タッチパネルデバイス３０から、接触物による接触を検知しているタッチセンサデバイス２０の領域の情報を取得する（Ｓ６）。
【００５９】
状態判定部１３は、タッチパネル接触制御部１４がタッチパネルデバイス３０から取得する情報、すなわちタッチパネルデバイス３０への接触物の位置情報を含む接触検知信号を、タッチパネル接触制御部１４に要求する（Ｓ７）。タッチパネル接触制御部１４は、状態判定部１３の指示にしたがって、タッチパネルデバイス３０への接触物の位置情報を含む接触検知信号を、状態判定部１３に送信する。
【００６０】
状態判定部１３は、タッチパネル接触制御部１４から取得した接触検知信号に基づいて、タッチパネルデバイス３０の端部領域３０Ａの少なくとも一部が接触を検知しているかどうかを判定する（Ｓ７）。タッチパネルデバイス３０の端部領域３０Ａが接触を検知していない場合（Ｓ７でＮｏ）（図３の（ｄ）参照）、状態判定部１３は、Ｓ１において検知されたタッチパネルデバイス３０への接触は、ユーザによる操作の目的を持った接触であると判定する。つまり、状態判定部１３は、ユーザが意図的にタッチパネルデバイス３０に接触していると判定する。状態判定部１３は、Ｓ７における判定結果をタッチパネルイベント制御部１５に通知する。この場合（Ｓ７でＮｏ）、タッチパネルイベント制御部１５は、Ｓ１において発生したタッチイベントの情報をアプリケーションに通知する（Ｓ９）。
【００６１】
一方、タッチパネルデバイス３０の端部領域３０Ａの少なくとも一部が接触を検知している場合（Ｓ７でＹｅｓ）（図３の（ｃ）参照）、状態判定部１３は、Ｓ１において検知されたタッチパネルデバイス３０への接触は、ユーザによる操作の目的を持った接触ではないと判定する。つまり、状態判定部１３は、ユーザが意図せずに、タッチパネルデバイス３０に接触していると判定する。状態判定部１３は、判定結果をタッチパネルイベント制御部１５に通知する。この場合（Ｓ７でＹｅｓ）、タッチパネルイベント制御部１５は、Ｓ１において発生したタッチイベントの情報を破棄する、つまり、タッチイベントの情報をアプリケーションに通知しない（Ｓ８）。以上で、実施形態２に係る携帯端末装置１の動作は終了する。
【００６２】
ユーザがタッチパネルデバイス３０に接触して操作している場合、通常、携帯端末装置１の複数の側面に接触する可能性は低い。換言すれば、複数のタッチセンサデバイス２０が、携帯端末装置１の複数の側面で接触を検知している場合、タッチパネルデバイス３０が検知した接触は、操作の目的を持たない接触である可能性が高い。実施形態２の構成によれば、このような場合に、タッチパネルデバイス３０への接触が、ユーザの意図しない操作であると判別することができる。
【００６３】
〔実施形態３〕
〔ソフトウェアによる実現例〕
携帯端末装置１の制御ブロック（特に制御部１０）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、携帯端末装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６５】
〔まとめ〕
本発明の態様１に係る携帯端末装置（１）は、携帯端末装置であって、操作面（タッチパネルデバイス３０）と、上記操作面とは別の面に配置されたタッチセンサ部（タッチセンサデバイス２０）と、当該携帯端末装置の移動を感知する移動感知部（動作感知デバイス４０）と、上記操作面への接触に基づく当該携帯端末装置の動作を制御する制御部と、を備え、上記操作面に物体が接触したとき、(i)上記移動感知部が、当該携帯端末装置の移動を感知しており、(ii)上記タッチセンサ部が接触を検知しており、かつ、(iii)上記操作面における所定の端部領域内に、上記物体の少なくとも一部が接触している場合、上記制御部は、上記操作面への接触に基づく当該携帯端末装置の動作を行わせない。
【００６６】
上記(i)から(iii)の条件は、発明者が得た以下の見解に基づいている。すなわち、ユーザが携帯端末装置を把持しながら歩行する場合、携帯端末装置の側面、および、操作面の端部に、ユーザの手が接触する可能性が高い。一方、ユーザが、立ち止まって、または歩行しながら、携帯端末装置を操作する場合、操作面の端部および側面に、ユーザの手が接触する可能性は低い。
【００６７】
上記の構成によれば、上記(i)〜(iii)の条件がすべて満たされた場合に、操作面に物体が接触したことに基づく動作を行わない。そのため、従来のように、操作面が接触を検知する領域が所定の面積よりも広い場合に、操作面に物体が接触したことに基づく動作を行わない構成と比較して、上記の構成は、操作の目的を持った操作面への接触と、操作の目的を持たない操作面への接触とを、より正確に判別することができる。換言すれば、上記の構成によれば、携帯端末装置の側面および操作面の端部に対する接触状態に基づいて、操作面への接触が、ユーザの意図する操作か否かを、正確に判定することができる。上記所定の端部領域は、例えば、操作面の全体のうちの操作面の端（タッチパネルを含んでも含まなくてもよいし、携帯端末装置が備えたディスプレイの表示領域の内側であっても外側であってもよい）から５ｍｍの領域であってよい。
【００６８】
本発明の態様２に係る携帯端末装置では、上記態様１に係る携帯端末装置において、上記操作面に物体が接触したとき、(i)上記移動感知部が、当該携帯端末装置の移動を感知しており、(ii)上記タッチセンサ部が配置された複数の面内において、上記タッチセンサ部が接触を検知しており、かつ、(iii)上記操作面における所定の端部領域内に、上記物体の少なくとも一部が接触している場合、上記制御部は、上記操作面に物体が接触したことに基づく当該携帯端末装置の動作を行わせなくてもよい。
【００６９】
ユーザが操作面に接触して操作している場合、通常、操作面とは別の複数の面に接触する可能性は低い。換言すれば、操作面とは別の複数の面において、接触が検知されている場合、操作面への接触は、操作の目的を持たない可能性が高い。上記の構成によれば、このような場合に、操作面への接触が、ユーザの意図しない操作であると判別することができる。
【００７０】
本発明の態様３に係る携帯端末装置では、上記態様１に係る携帯端末装置において、上記操作面に物体が接触したとき、(i)上記移動感知部が、当該携帯端末装置の移動を感知しており、(ii)上記タッチセンサ部が配置された少なくとも一つの面内において、上記タッチセンサ部が、所定の面積よりも広い領域で接触を検知しており、かつ、(iii)上記操作面における所定の端部領域内に、上記物体の少なくとも一部が接触している場合、上記制御部は、上記操作面に物体が接触したことに基づく当該携帯端末装置の動作を行わせなくてもよい。
【００７１】
ユーザが操作面に接触して操作している場合、通常、操作面とは別の一つまたは複数の面の広い領域に接触する可能性は低い。換言すれば、操作面とは別の少なくとも一つの面の広い領域において、接触が検知されている場合、操作面への接触は、操作の目的を持たない可能性が高い。上記の構成によれば、このような場合に、操作面への接触が、ユーザの意図しない操作であると判別することができる。上記所定の面積は、例えば、上記別の面の全体のうちの５０％の領域であってよい。
【００７２】
本発明の態様４に係る携帯端末装置（１）の制御方法は、操作面（タッチパネルデバイス３０）への接触に基づく携帯端末装置の動作を制御する、携帯端末装置の制御方法であって、上記操作面に物体が接触したとき、以下の(i)から(iii)の条件、すなわち、(i)当該携帯端末装置が移動していること、(ii)上記操作面とは別の面への接触があること、(iii)上記操作面の端部に設定された所定の領域内に、上記物体の少なくとも一部が接触していること、がすべて満たされる場合、上記操作面への接触に基づく当該携帯端末装置の動作を行わせない。上記の構成によれば、上記態様１に係る携帯端末装置と同様の作用効果を奏する。
【００７３】
上記態様１から３のいずれかに係る携帯端末装置（１）としてコンピュータを機能させるための制御プログラムであって、上記制御部としてコンピュータを機能させるための制御プログラムであって、上記制御部としてコンピュータを機能させるための制御プログラム。また、上記制御プログラムを記録したコンピュータ読み取り可能な記録媒体も、本発明の範疇に入る。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１  携帯端末装置
１０  制御部
２０  タッチセンサデバイス（タッチセンサ部）
３０  タッチパネルデバイス（操作面）
４０  動作感知デバイス（移動感知部）
【図１】
2018160141.tif 000003
【図２】
2018160141.tif 000004
【図３】
2018160141.tif 000005
【図４】
2018160141.tif 000006
【図５】
2018160141.tif 000007
【図６】
2018160141.tif 000008